(57)【要約】【課題】  ユーザは通信システムや通信端末上の通知情報取得手段から必要な情報を取得し、既存の通信システムを利用してそれを随時登録可能であり、かつその情報はユーザが指定した条件に合致すると自動的に通知されるシステムを提供する。【解決手段】  ユーザが通知を希望する通知情報を通信端末３が取得部３７で取得し、同時に入力ボタン３８等から通知の条件であるコンテキスト情報を入力すると、ブックマーク情報生成部３４で２つの情報からブックマーク情報が生成される。情報配信サーバにはそのブックマーク情報を格納しておき、通信端末の位置取得部３６が端末位置を取得して情報配信サーバにそれを通知すると、コンテキスト情報と照合し、一致したときに通信端末に対して通知情報を送信し、端末側でそれを表示する。【選択図】 図３
2007110640.tif 000002
【特許請求の範囲】
【請求項１】
ネットワークを介して接続された通信端末と情報配信サーバとを用い、通信端末上でユーザに対して通知すべき通知情報をユーザの設定条件に従って通知可能な情報通知システムであって、
通信端末が、
通信端末の位置を取得する位置取得手段と、
通信端末がユーザに通知すべき通知情報を外部から受信又は読み取りすることで該通知情報を取得する通知情報取得手段と、
該通知情報と関連づけられる通信端末の位置又は時刻に係るコンテキスト情報の指定を受理するコンテキスト情報受理手段と、
該通知情報及びコンテキスト情報を合わせてブックマーク情報を生成するブックマーク情報生成手段と、
少なくとも通信端末の位置情報、及び該ブックマーク情報を情報配信サーバに送信する送信手段と、
該情報配信サーバからの通知情報を受信する受信手段と
を少なくとも備え、
情報配信サーバが、
該通信端末の位置情報と、ブックマーク情報とを受信する受信手段と、
該ブックマーク情報を記録するブックマーク情報データベースと、
通信端末の現在の位置情報又は時刻と、該ブックマーク情報に含まれるコンテキスト情報とが一致したことを検出するコンテキスト情報一致検出手段と、
一致時に通信端末に対して通知情報を送信する送信手段と
を少なくとも備えた
ことを特徴とする情報通知システム。
【請求項２】
前記コンテキスト情報受理手段が、
該通知情報を通知すべき時刻をユーザが入力する通知時刻入力部を備えて、ユーザが入力した時刻を受理する
ことを特徴とする請求項１に記載の情報通知システム。
【請求項３】
前記コンテキスト情報受理手段が、
該通知情報を通知すべき通信端末の位置条件をユーザが入力する通知位置条件入力部を備えて、ユーザが入力した位置条件を受理する
ことを特徴とする請求項１又は２に記載の情報通知システム。
【請求項４】
前記通知情報取得手段が、
バーコード読み取り部を備えて外部に表示されたバーコードを読み取ることにより通知情報を取得する
ことを特徴とする請求項１ないし３のいずれかに記載の情報通知システム。
【請求項５】
前記通知情報取得手段が、
無線信号受信部を備えて通信端末近傍の無線送信機から送信されたデータを受信することにより通知情報を取得する
ことを特徴とする請求項１ないし３のいずれかに記載の情報通知システム。
【請求項６】
前記通知情報取得手段が、
ＩＣカード部を備えて通信端末近傍のＩＣカードリーダ・ライタ部からデータを受信することにより通知情報を取得する
ことを特徴とする請求項１ないし３のいずれかに記載の情報通知システム。
【請求項７】
前記情報通知システムにおいて、ネットワーク上には通知情報を含むコンテンツ情報を格納したコンテンツサーバが配設され、
前記通知情報取得手段が、
ユーザの選択したコンテンツ情報を前記受信手段が受信することにより通知情報を取得する
ことを特徴とする請求項１ないし３のいずれかに記載の情報通知システム。
【請求項８】
前記位置取得手段が、
ＧＰＳ受信部を備えて位置を取得する
ことを特徴とする請求項１ないし７のいずれかに記載の情報通知システム。
【請求項９】
前記位置取得手段が、
ＩＣカード部を備えて通信端末近傍のＩＣカードリーダ・ライタ部からデータを受信することにより位置を取得する
ことを特徴とする請求項１ないし７のいずれかに記載の情報通知システム。
【請求項１０】
ネットワークを介して接続された通信端末と情報配信サーバとを用い、通信端末上でユーザに対して通知すべき通知情報をユーザの設定条件に従って通知可能な情報通知システムで用いる通信端末であって、
通信端末の位置を取得する位置取得手段と、
通信端末がユーザに通知すべき通知情報を外部から受信又は読み取りすることで該通知情報を取得する通知情報取得手段と、
該通知情報と関連づけられる通信端末の位置又は時刻に係るコンテキスト情報の指定を受理するコンテキスト情報受理手段と、
該通知情報及びコンテキスト情報を合わせてブックマーク情報を生成するブックマーク情報生成手段と、
少なくとも通信端末の位置情報、及び該ブックマーク情報を情報配信サーバに送信する送信手段と、
該情報配信サーバからの通知情報を受信する受信手段と
を少なくとも備えたことを特徴とする情報通知システムの通信端末。
【請求項１１】
ネットワークを介して接続された通信端末と情報配信サーバとを用い、通信端末上でユーザに対して通知すべき通知情報をユーザの設定条件に従って通知可能な情報通知システムで用いる情報配信サーバであって、
該通信端末から送信された位置情報と、ブックマーク情報とを受信する受信手段と、
該ブックマーク情報を記録するブックマーク情報データベースと、
通信端末の現在の位置情報又は時刻と、該ブックマーク情報に含まれるコンテキスト情報とが一致したことを検出するコンテキスト情報一致検出手段と、
一致時に通信端末に対して通知情報を送信する送信手段と
を少なくとも備えたことを特徴とする情報通知システムの情報配信サーバ。
【請求項１２】
ネットワークを介して接続された通信端末と情報配信サーバと端末位置取得サーバとを用い、通信端末上でユーザに対して通知すべき通知情報をユーザの設定条件に従って通知可能な情報通知システムであって、
端末位置取得サーバが、
通信端末を検出する端末検出手段と、
該検出を情報配信サーバに通知する送信手段と
を少なくとも備え、
通信端末が、
ユーザに通知すべき通知情報を外部から受信又は読み取りすることで該通知情報を取得する通知情報取得手段と、
該通知情報と関連づけられる通信端末の位置又は時刻に係るコンテキスト情報の指定を受理するコンテキスト情報受理手段と、
該通知情報及びコンテキスト情報を合わせてブックマーク情報を生成するブックマーク情報生成手段と、
少なくとも該ブックマーク情報を情報配信サーバに送信する送信手段と、
該情報配信サーバからの通知情報を受信する受信手段と
を少なくとも備え、
情報配信サーバが、
該端末位置取得サーバからの位置情報と、該通信端末からのブックマーク情報とを受信する受信手段と、
該ブックマーク情報を記録するブックマーク情報データベースと、
通信端末の現在の位置情報又は時刻と、該ブックマーク情報に含まれるコンテキスト情報とが一致したことを検出するコンテキスト情報一致検出手段と、
一致時に通信端末に対して通知情報を送信する送信手段と
を少なくとも備えた
ことを特徴とする情報通知システム。
【発明の詳細な説明】
【技術分野】
【０００１】
本発明は、通信端末においてユーザに情報を通知する技術に関し、より詳しくはユーザが登録した通知情報を、その後の通信端末の状態に応じて繰り返して通知する技術に係るものである。
【背景技術】
【０００２】
携帯電話などの通信端末が普及し、日常的に通信端末で情報を収集することが行われている。このような情報は、通信端末上のメモ機能や、ウェブブラウザのブックマークなどに登録されて、必要な時にユーザが選択して閲覧するようになっている。
情報の収集方法も、従来のウェブブラウザによる情報の取得に限らず、最近では通信端末に備えたＩＣカード機能を利用し、外部のＩＣカードリーダ・ライタからウェブのＵＲＬ情報を取得することも行われている。（テックファーム株式会社、「TOWNPOCKET」、非特許文献１及び２参照。）
【０００３】
【非特許文献１】http://www.itmedia.co.jp/enterprise/mobile/articles/0507/16/news007.html
【非特許文献２】http://www.townpocket.jp
【０００４】
この方法によると、簡便に必要な情報のＵＲＬを登録することができる一方、収集した情報を閲覧するにはユーザ自身が思い出して操作をしなければならない。そのため、多量の情報を収集してしまうと、その情報の存在自体を忘れてしまったり、見つけ出すことができなくなったりして、結局情報を活かすことができなくなる問題があった。
【０００５】
また、自動的にユーザに対して情報を通知する技術も開発されている。非特許文献３に開示されている技術（日本電気株式会社、「パーソナライズ情報配信プラットフォーム TPOCAST」）では、多数のウェブページからユーザに最も合うものを自動的に選びだし、ユーザに提示することが行われている。
この技術によればユーザが意図しなくても、有用な情報が送られてくる可能性があるが、ユーザが予め取捨したものではないため、必ずしもユーザの希望に合致したコンテンツが提供されるとは限らない。
【０００６】
【非特許文献３】http://www.sw.nec.co.jp/netsoft/tpocast/
【０００７】
また、非特許文献３の技術では、無線ＬＡＮのアクセスポイントから通信端末の位置を取得し、そのような端末状態に合わせて情報を提供することが開示されている。
同様の技術として、ＧＰＳを用いてユーザが予め指定した位置に到着した時にアラームを発する技術（特許文献４）や、例えば小売店等で商品やサービスに関するデータを配信するために、ユーザの位置を検出し、その位置と保存された関心のプロファイルデータとから、ユーザ端末にデータを選択的に配信する技術（特許文献５）などが知られている。
【０００８】
【特許文献４】特表2003-518611号公報
【特許文献５】特表2005-510821号公報
【０００９】
さらに、ユーザの嗜好に合わせた情報を提供するための技術として、ユーザ要求の中で指定された状況や嗜好と、利用履歴データベースに含まれるサービス利用の際の状況や嗜好とを適合させることで、状況や嗜好に応じた評価スコアを計算し、サービスを推薦する技術（特許文献６）や、どのような情報サービスをどのようなタイミングで提供されたいかをカスタマイズする手段を利用者に提供する技術（特許文献７）などが知られている。
【００１０】
【特許文献６】特開2005-174094号公報
【特許文献７】特開2005-31916号公報
【００１１】
これらいずれの技術においても、ユーザが指定した情報をユーザの所望のタイミングで受信することが実現されておらず、ユーザにとって不要な情報を受信したり、不適切な時期に受信してしまう問題は解消できていない。
【発明の開示】
【発明が解決しようとする課題】
【００１２】
本発明は上記の従来技術における問題点を解消するものであり、ユーザは通信システムや通信端末上の通知情報取得手段から必要な情報を取得し、既存の通信システムを利用してそれを随時登録可能であり、かつその情報はユーザが指定した条件に合致すると自動的に通知されるシステムを提供することを目的とする。
【課題を解決するための手段】
【００１３】
上記課題を解決するため、本発明では次のような情報通知システムを提供する。
請求項１に記載の発明は、ネットワークを介して接続された通信端末と情報配信サーバとを用い、通信端末上でユーザに対して通知すべき通知情報をユーザの設定条件に従って通知可能な情報通知システムである。
本システムにおいて通信端末は、通信端末の位置を取得する位置取得手段と、通信端末がユーザに通知すべき通知情報を外部から受信又は読み取りすることで該通知情報を取得する通知情報取得手段と、該通知情報と関連づけられる通信端末の位置又は時刻に係るコンテキスト情報の指定を受理するコンテキスト情報受理手段と、該通知情報及びコンテキスト情報を合わせてブックマーク情報を生成するブックマーク情報生成手段と、少なくとも通信端末の位置情報、及び該ブックマーク情報を情報配信サーバに送信する送信手段と、該情報配信サーバからの通知情報を受信する受信手段とを少なくとも備える。
【００１４】
本システムにおいて情報配信サーバは、該通信端末の位置情報と、ブックマーク情報とを受信する受信手段と、該ブックマーク情報を記録するブックマーク情報データベースと、通信端末の現在の位置情報又は時刻と、該ブックマーク情報に含まれるコンテキスト情報とが一致したことを検出するコンテキスト情報一致検出手段と、一致時に通信端末に対して通知情報を送信する送信手段とを少なくとも備える。
【００１５】
請求項２に記載の発明は、上記のコンテキスト情報受理手段が、該通知情報を通知すべき時刻をユーザが入力する通知時刻入力部を備えて、ユーザが入力した時刻を受理することを特徴とする。
【００１６】
請求項３に記載の発明は、上記のコンテキスト情報受理手段が、該通知情報を通知すべき通信端末の位置条件をユーザが入力する通知位置条件入力部を備えて、ユーザが入力した位置条件を受理することを特徴とする。
【００１７】
請求項４に記載の発明は、上記の通知情報取得手段が、バーコード読み取り部を備えて外部に表示されたバーコードを読み取ることにより通知情報を取得することを特徴とする。
【００１８】
請求項５に記載の発明は、上記の通知情報取得手段が、無線信号受信部を備えて通信端末近傍の無線送信機から送信されたデータを受信することにより通知情報を取得することを特徴とする。
【００１９】
請求項６に記載の発明は、上記の通知情報取得手段が、ＩＣカード部を備えて通信端末近傍のＩＣカードリーダ・ライタ部からデータを受信することにより通知情報を取得することを特徴とする。
【００２０】
請求項７に記載の発明は、上記の情報通知システムにおいて、ネットワーク上には通知情報を含むコンテンツ情報を格納したコンテンツサーバが配設され、通知情報取得手段が、ユーザの選択したコンテンツ情報を前記受信手段が受信することにより通知情報を取得することを特徴とする。
【００２１】
請求項８に記載の発明は、上記の位置取得手段が、ＧＰＳ受信部を備えて位置を取得することを特徴とする。
【００２２】
請求項９に記載の発明は、上記の位置取得手段が、ＩＣカード部を備えて通信端末近傍のＩＣカードリーダ・ライタ部からデータを受信することにより位置を取得することを特徴とする。
【００２３】
請求項１０に記載の発明は、ネットワークを介して接続された通信端末と情報配信サーバとを用い、通信端末上でユーザに対して通知すべき通知情報をユーザの設定条件に従って通知可能な情報通知システムで用いる通信端末を提供するものである。
該通信端末には、通信端末の位置を取得する位置取得手段と、通信端末がユーザに通知すべき通知情報を外部から受信又は読み取りすることで該通知情報を取得する通知情報取得手段と、該通知情報と関連づけられる通信端末の位置又は時刻に係るコンテキスト情報の指定を受理するコンテキスト情報受理手段と、該通知情報及びコンテキスト情報を合わせてブックマーク情報を生成するブックマーク情報生成手段と、少なくとも通信端末の位置情報、及び該ブックマーク情報を情報配信サーバに送信する送信手段と、該情報配信サーバからの通知情報を受信する受信手段とを少なくとも備えたことを特徴とする。
【００２４】
請求項１１に記載の発明は、ネットワークを介して接続された通信端末と情報配信サーバとを用い、通信端末上でユーザに対して通知すべき通知情報をユーザの設定条件に従って通知可能な情報通知システムで用いる情報配信サーバを提供するものである。
該情報配信サーバには、通信端末から送信された位置情報と、ブックマーク情報とを受信する受信手段と、該ブックマーク情報を記録するブックマーク情報データベースと、通信端末の現在の位置情報又は時刻と、該ブックマーク情報に含まれるコンテキスト情報とが一致したことを検出するコンテキスト情報一致検出手段と、一致時に通信端末に対して通知情報を送信する送信手段とを少なくとも備える。
【００２５】
請求項１２に記載の発明は、ネットワークを介して接続された通信端末と情報配信サーバと端末位置取得サーバとを用い、通信端末上でユーザに対して通知すべき通知情報をユーザの設定条件に従って通知可能な情報通知システムを提供する。
本システムにおいて、端末位置取得サーバは、通信端末を検出する端末検出手段と、該検出を情報配信サーバに通知する送信手段とを少なくとも備える。
【００２６】
また、通信端末は、ユーザに通知すべき通知情報を外部から受信又は読み取りすることで該通知情報を取得する通知情報取得手段と、該通知情報と関連づけられる通信端末の位置又は時刻に係るコンテキスト情報の指定を受理するコンテキスト情報受理手段と、該通知情報及びコンテキスト情報を合わせてブックマーク情報を生成するブックマーク情報生成手段と、少なくとも該ブックマーク情報を情報配信サーバに送信する送信手段と、該情報配信サーバからの通知情報を受信する受信手段とを少なくとも備える。
【００２７】
情報配信サーバは、該端末位置取得サーバからの位置情報と、該通信端末からのブックマーク情報とを受信する受信手段と、該ブックマーク情報を記録するブックマーク情報データベースと、通信端末の現在の位置情報又は時刻と、該ブックマーク情報に含まれるコンテキスト情報とが一致したことを検出するコンテキスト情報一致検出手段と、一致時に通信端末に対して通知情報を送信する送信手段とを少なくとも備える。
【発明の効果】
【００２８】
以上の発明により次の効果を奏する。
すなわち、本発明に記載の構成によれば、将来の通知を要する通知情報を取得した際に、ユーザがコンテキスト情報を設定することができ、これを情報配信サーバに格納しておくことができる。これにより、情報配信サーバで端末の位置や、時刻がユーザが設定したコンテキスト情報と一致したことを検出すると、自動的に通信端末に通知情報を通知することができるようになる。
【００２９】
この通知情報はユーザが望んだ情報であり、かつユーザの望んだ契機でなされるため、有益な情報が効率的に通知される。
特に、携帯電話端末では情報を簡便に取り込むことができ、本発明技術をそのような端末に実装することで、情報の有効利用が図られる。
とりわけ、携帯電話端末に一般的に実装されているカメラを用いてバーコードを読み取って情報を収集したり、ＩＣカードを用いて情報を収集すること、無線通信により情報を受信することは、多くの情報を効率よく収集できることから、本発明の実施において特に好適である。
【発明を実施するための最良の形態】
【００３０】
以下、本発明の実施形態を図面に示しながら説述する。なお、本発明の実施においては、以下に限定されることなく、任意に変形、応用等を行うことが可能である。
図１は本発明の第１の実施例に係る情報通知システムの全体構成図である。図示するように、本システム（１）は情報配信サーバ（１０）と通信端末である携帯電話（３）や携帯型情報端末（４）がインターネット（２）等のネットワークを介して接続されている。
【００３１】
通信端末（３）（４）はウェブブラウザなどを備えていて、インターネット上でコンテンツを配信するコンテンツサーバ（図示しない）などから情報を取得し、閲覧することもできる。
また、情報配信サーバは本願の重要な要素の１つであり、通信端末の位置や時刻などから、移動端末に必要な情報を通知するサーバである。図２は情報配信サーバの構成図である。
【００３２】
該サーバ（１０）は、公知のパーソナルコンピュータによって実現されるサーバ装置であり、よく知られているようにＣＰＵ（１１）と、ハードディスク（１５）、ネットワークと接続するネットワークアダプタ（１６）の他、図示しないキーボード、モニタ、メモリなどの各ハードウェアが協働している。
【００３３】
本発明では、情報配信サーバ（１０）の最小限の構成としてＣＰＵ上で動作し、ネットワークアダプタ（１６）を介して後述する様々な情報を送受信する送信手段及び受信手段である送受信部（１２）と、コンテキスト情報一致検出部（１３）、計時部（１４）を設けている。
そして、コンテキスト情報一致検出部（１３）は、通信端末から受信した位置情報や、計時部（１４）の時刻情報からハードディスク（１５）内のブックマーク情報データベースに格納されたコンテキスト情報が一致するか否かを定期的又は所定の契機で検出している。
【００３４】
図３は本発明に係る通信端末の構成図である。
これらは携帯電話端末の他、ＰＤＡなどによっても実現可能であり携帯型端末が好適であるが、パーソナルコンピュータでもよい。本端末には、ＣＰＵ（３１）に、ネットワークアダプタ（３５）、端末の位置を取得する位置取得部（３６）、ユーザが後に通知を望む通知情報を初めに取得する通知情報取得部（３７）、ユーザがコンテキスト情報を設定するための入力ボタン（３８）、情報を表示するための表示装置（３９）が付設されている。
【００３５】
そして、ＣＰＵ（３１）では、ネットワークアダプタ（３５）を介して通信端末と送受信する送受信部（３２）、入力ボタン（３８）から入力されたコンテキスト情報を受理するコンテキスト情報受理部（３３）、通知情報取得部（３７）から取得した通知情報とコンテキスト情報とからブックマーク情報を生成するブックマーク情報生成部（３４）が設けられている。
【００３６】
そして、本発明では図４に示すように、通信端末（３）から紙媒体に印刷されたバーコード（５）や、テレビやモニタに接続されたＩＣカードリーダ・ライタ（６）から通知情報を取得する。
取得する通知情報としては、商店やイベント、物、人、情報に係る属性などが挙げられる。例えば、新聞等でイベントの紹介が掲載されているときに、通信端末（３）でその紙面に印刷されたバーコードを読み取ると、当該イベントに関する様々な情報を取得することができる。
【００３７】
ここで取得される情報としては、タイトル、内容、ジャンル、位置、サービス開始時刻、サービス終了時刻、サービス日付、サービス開始日付、サービス終了日付等である。すなわち、イベントの内容、場所、期間などが通信端末（３）に取り込まれることになる。なお、ここでは日付と時刻を分けて記載しているが、両者をあわせて時刻と呼ぶことがある。
【００３８】
ユーザが該情報を通信端末上で確認し、これを将来において利用したいと考えた場合には、ユーザはコンテキスト情報を付与することができる。コンテキスト情報は、該通知情報と関連づけて定義され、通知情報を次に閲覧したい時の通信端末や時刻などの条件を設定するものである。
例えば、コンテキスト情報としては通信端末の位置、時刻の他、位置及び時刻の組合せや、すでに登録されている通知情報に関連する新たな情報がネットワーク上の例えばコンテンツサーバ上に掲載されたときに通知する、などの設定を行うことができる。
【００３９】
具体的にコンテキスト情報の一例を示すと、通知時間を予め指定する場合には、通知開始時刻・通知終了時刻・通知日付などが考えられるが、本発明の特徴として、当該通知情報の位置情報と関連して、（１）距離が一定の範囲に近づいた場合、（２）現在時刻がサービスの期間中で、かつ距離が一定の範囲に近づいた場合、（３）該通知情報に関する新しい情報が存在する場合、（４）現在時刻が通知時刻であり、かつ距離が一定の範囲に近づいた場合、などと定義することができる。これらはコンテキスト情報受理部（３３）においてユーザに選択肢を提示し、ユーザが入力ボタン（３８）で入力するようにするのが簡便である。
【００４０】
このようにして通知情報とコンテキスト情報が取得された後、ブックマーク情報生成部（３４）において両情報を単純に組み合わせて、ブックマーク情報とする。
ブックマーク情報は送受信部（３２）から情報配信サーバ（１０）に送信される。
情報配信サーバ（１０）では、送受信部（１２）でブックマーク情報を受信し、ブックマーク情報データベース（１５）に格納する。
【００４１】
その後は、通信端末（３）の位置取得部（３６）が定期的又は所定の契機で自端末の位置を取得し、送受信部（３２）から情報配信サーバ（１０）の送受信部（１２）に向けて送信される。
情報配信サーバ（１０）のコンテキスト情報一致検出部（１３）では、得られた通信端末（３）の位置情報と、計時部（１４）において計時されている時刻情報とを利用し、ブックマーク情報データベース（１５）内のコンテキスト情報と照合し、一致することを検出する。
【００４２】
例えば、上記のようにイベントの場所・時刻についてブックマーク情報データベースから抽出すると共に、通信端末の位置、現在時刻を照合して、合致するイベントがあれば、送受信部（１２）から通信端末（３）に対して通知する。
通信端末（３）では送受信部（３２）でこれを受信し、表示装置（３９）で表示してユーザに通知することができる。
【００４３】
この際の通知には、通信端末に対して電子メールを送信する方法が簡便であるが、専用のブラウザ等を通信端末で稼働させて該ブラウザに対して通知する方法でもよい。
また、本情報配信サーバ（１０）は同時に複数の通信端末を対象とするため、ブックマーク情報のテーブルには、ユーザ情報のテーブルが対応づけられて格納されている。
【００４４】
通信端末の位置取得部（３６）としては、ＧＰＳ受信部を備えることができる。すでに携帯電話端末にＧＰＳ受信機が内蔵されているものが市販されており、このような周知の端末では容易に自端末の位置を取得することができる。
あるいは、通信端末にＩＣカード部を備えておき、ユーザが通信端末近傍のＩＣカードリーダ・ライタ部にＩＣカード部を近づけた時に、自端末の位置情報が送出されるように構成してもよい。その際には、同時に通知情報を受信するようにしてもよい。
【００４５】
その他、通信端末の位置取得方法は周知のさまざまな方法が利用できるが、例えば、無線ＬＡＮのＳＳＩＤや、Bluetooth（登録商標）等によって取得する方法、ＲＦＩＤを用いる方法、携帯電話キャリアにより提供される位置情報などを用いる方法などが好適である。
【００４６】
通信端末の通知情報取得部（３７）の構成としては、上述したバーコードから読み取る方法や、ＩＣカードを利用する方法の他、無線ＬＡＮ・Bluetooth（登録商標）等の無線通信により受信する方法、あるいはインターネット（２）上のコンテンツサーバから取得する方法なども可能である。
【００４７】
（（タッチ端末構成））
図５は本発明の第２の実施例に係るシステム（１’）の全体構成図である。本実施例では、インターネット（２）において第１の実施例に加えて端末位置取得サーバ（２０）を配設している。
すなわち、第１の実施例では通信端末において端末位置を取得していたが、本実施例では通信端末では取得せず、別個に設けた端末位置取得サーバ（２０）が端末位置を取得し、情報配信サーバ（１０）にインターネット（２）を介して送信する。
【００４８】
端末位置取得サーバ（２０）は図６に示すように、ＣＰＵ（２１）と、ＩＣカードリーダ・ライタ（２３）、ネットワークアダプタ（２５）から最小限構成され、ユーザがＩＣカードを備えた通信端末（３）をＩＣカードリーダ・ライタ（２３）に近づけることで、ＩＣカード処理部（２２）が通信端末の識別情報とを取得し、端末位置取得サーバ（２０）自体の位置情報と合わせて、送受信部（２４）からネットワークアダプタ（２５）を介して情報配信サーバ（１０）に通知する。
【００４９】
情報配信サーバ（１０）における処理は、通信端末（３）から通知された場合と同様であり、また通信端末（３）においても位置取得部（３６）が設けられず、位置情報が情報配信サーバ（１０）に送信されない以外の作用は第１の実施例と同様である。
【００５０】
図７は、図４で示したモニタとＩＣカードリーダ・ライタ（６）が付設された装置（４０）の構成図である。該装置（４０）もＣＰＵ（４１）と、ＩＣカードリーダ・ライタ（４３）、モニタ（４５）から最小限構成され、表示部（４４）において画面表示を行うと共に、ユーザがＩＣカードを備えた通信端末（３）をＩＣカードリーダ・ライタ（４３）に近づけることで、ＩＣカード処理部（４２）が表示中の画面に対応する情報を、通信端末（３）に向けて送出する。
【図面の簡単な説明】
【００５１】
【図１】本発明の第１の実施例に係る情報通知システムの全体構成図。
【図２】本発明に係る情報配信サーバの構成図。
【図３】本発明の第１の実施例に係る通信端末の構成図。
【図４】本発明に係る通知情報の取得を説明する説明図。
【図５】本発明の第２の実施例に係る情報通知システムの全体構成図。
【図６】本発明の第２の実施例に係る端末位置取得サーバの構成図。
【図７】本発明に係るＩＣカードリーダ・ライタを備えたモニタの構成図。
【符号の説明】
【００５２】
３  通信端末
１０  情報配信サーバ
１１  ＣＰＵ
１２  送受信部
１３  コンテキスト情報一致検出部
１４  計時部
１５  ブックマーク情報データベース
１６  ネットワークアダプタ
３１  ＣＰＵ
３２  送受信部
３３  コンテキスト情報受理部
３４  ブックマーク情報生成部
３５  ネットワークアダプタ
３６  位置取得部
３７  通知情報取得部
３８  入力ボタン
３９  表示装置
【図１】
2007110640.tif 000003
【図２】
2007110640.tif 000004
【図３】
2007110640.tif 000005
【図４】
2007110640.tif 000006
【図５】
2007110640.tif 000007
【図６】
2007110640.tif 000008
【図７】
2007110640.tif 000009